(57)【要約】【課題】  加入者端末が働いていない場合でも、電話局のモデムを起動させるための擬似信号を送出し、電話局からＡＤＳＬ信号を伝送させることができるとともに、電話局からのＡＤＳＬ信号を検出し、その種類を判別して表示することができるＡＤＳＬ信号チェッカを提供することを課題とする。【解決手段】  ＡＤＳＬ信号チェッカ１によれば、加入者端末が機能していない場合、マイクロコンピュータ２から擬似信号が出力され、電話回線に送出されると、電話局のモデムが起動されるため、マイクロコンピュータ２は、電話局から電話回線を介して伝送されたＡＤＳＬ信号を検出するとともに、その種類を判別し、判別したＡＤＳＬ信号の種類を表示器に表示させることができる。【選択図】        図１
2006319816.tif 000002
【特許請求の範囲】
【請求項１】
電話局と加入者端末との間に敷設された電話回線に重畳されるＡＤＳＬ信号を検出し、チェックするためのＡＤＳＬ信号チェッカであって、
前記加入者端末が働いていない場合に前記電話回線を介して前記電話局のモデムを起動させるための擬似信号を送出するモデム擬似信号送出手段と、
前記モデム擬似信号送出手段から前記擬似信号が送出されたあとに前記電話局から送られてきたＡＤＳＬ信号を検出するＡＤＳＬ信号検出手段と、
前記ＡＤＳＬ信号検出手段で検出されたＡＤＳＬ信号を解析したうえ当該ＡＤＳＬ信号の種類を判別するＡＤＳＬ信号判別手段と、
前記ＡＤＳＬ信号判別手段で判別されたＡＤＳＬ信号の種類を表示するＡＤＳＬ信号表示手段とを備えたことを特徴とするＡＤＳＬ信号チェッカ。
【発明の詳細な説明】
【技術分野】
【０００１】
本発明は、電話回線に重畳されているＡＤＳＬ（Ａsymmetric Ｄigital Subscriber Line）信号を検出するためのＡＤＳＬ信号チェッカに関する。
【背景技術】
【０００２】
従来、電話回線に重畳されたデジタル信号を検出するための信号チェッカとして、例えば特開平１０−７５２９８号公報に記載された回線チェッカがあり、この回線チェッカは、デジタル信号の周波数成分を検出するものである（特許文献１参照）。
【０００３】
上記従来の回線チェッカによれば、電話局のモデムを立ち上げるための信号を送出する回路が設けられていない。それにより、加入者端末が工事中であったり、加入者端末の電源がオフになっている場合は電話局のモデムが休止状態であるため、電話回線に重畳されているＡＤＳＬ信号を検出することができない。更に、国内では、複数種類のＡＤＳＬ信号が電話回線に重畳されているため、ＡＤＳＬ信号を検出してもその種類を判別することができない。
【特許文献１】特開平１０−７５２９８号公報
【発明の開示】
【発明が解決しようとする課題】
【０００４】
そこで本発明では、加入者端末が働いていない場合でも、電話局のモデムを起動させるための擬似信号を送出し、電話局からＡＤＳＬ信号を伝送させることができるとともに、電話局から伝送されたＡＤＳＬ信号を検出し、その種類を判別して表示することができるＡＤＳＬ信号チェッカを提供することを解決すべき課題とするものである。
【課題を解決するための手段】
【０００５】
上記課題は、特許請求の範囲の欄に記載したＡＤＳＬ信号チェッカにより解決することができる。
請求項１に記載のＡＤＳＬ信号チェッカによれば、モデム擬似信号送出手段は、加入者端末が機能していない場合、電話回線を介して電話局に擬似信号を送出すると、電話局のモデムが起動されるため、ＡＤＳＬ信号検出手段は、電話局から送られてきたＡＤＳＬ信号を検出する。ＡＤＳＬ信号判別手段は、ＡＤＳＬ信号検出手段で検出されたＡＤＳＬ信号を解析したうえ当該ＡＤＳＬ信号の種類を判別するとともに、ＡＤＳＬ信号表示手段は、ＡＤＳＬ信号の種類を表示することができる。
このように、本発明のＡＤＳＬ信号チェッカは、加入者端末が働いていない場合でも電話局のモデムを起動させるための擬似信号を送出することによって、電話局からのＡＤＳＬ信号を検出することができるとともに、検出したＡＤＳＬ信号の種類を判別し、それを表示することができる。
【発明の効果】
【０００６】
本発明によれば、加入者端末が働いていない場合でも電話局のモデムを起動させるための擬似信号を送出することによって電話回線に重畳されたＡＤＳＬ信号を検出することができるとともに、検出したＡＤＳＬ信号の種類を判別し、表示することができる。
【発明を実施するための最良の形態】
【０００７】
次に、本発明を実施するための形態について説明する。
図１は、電話回線に重畳されたＡＤＳＬ信号を検出し、検出したＡＤＳＬ信号の種類を判別するためのＡＤＳＬ信号チェッカ１の電気回路ブロック図である。また、図２はＡＤＳＬ信号チェッカ１の操作表示パネル図である。
図１に示すように、ＡＤＳＬ信号チェッカ１の中枢部にマイクロコンピュータ（ＣＰＵ）２が設けられている。マイクロコンピュータ２には、ＡＤＳＬ信号を検出するために３個の入力端子Ｔ１，Ｔ２，Ｔ３が設けられている。入力端子Ｔ１は、検出対象となるＡＤＳＬ信号のうちの上り信号、即ち、加入者端末側から電話局に対して送出されるＡＤＳＬ信号の内、周波数が３８．８１２５ＫＨｚの成分を検出するために設けられている。また、入力端子Ｔ２は、検出対象となるＡＤＳＬ信号のうちの下り信号、即ち、電話局から加入者端末に対して伝送される応答信号のうちの周波数が２７６．０ＫＨｚのＡＤＳＬ信号を検出するために設けられている。更に、入力端子Ｔ３は、電話局から加入者端末に対して伝送される応答信号のうちの周波数が１７２.５ＫＨｚのＡＤＳＬ信号を検出するために設けられている。
【０００８】
上記入力端子Ｔ１には、検出対象となるＡＤＳＬ信号のうちの３８.８１２５ＫＨｚの周波数信号を検出するための周波数検出回路３ａが接続されており、この周波数検出回路３ａには、３８.８１２５ＫＨｚの周波数信号を通すためのフィルタ回路４ａが接続されている。また、入力端子Ｔ２には、検出対象となるＡＤＳＬ信号のうちの２７６．０ＫＨｚの周波数信号を検出するための周波数検出回路３ｂが接続されており、この周波数検出回路３ｂには、２７６．０ＫＨｚの周波数信号を通すためのフィルタ回路４ｂが接続されている。更に、入力端子Ｔ３には、検出対象となるＡＤＳＬ信号のうちの１７２.５ＫＨｚの周波数信号を検出するための周波数検出回路３ｃが接続されており、この周波数検出回路３ｃには、１７２.５ＫＨｚの周波数信号を通すためのフィルタ回路４ｃが接続されている。
【０００９】
また、ＡＤＳＬ信号チェッカ１のマイクロコンピュータ２には、加入者端末が工事中であったり、電源がオフのために加入者端末が働かない場合でも、電話局のモデムを起動させるための擬似信号を送出するＡＤＳＬ擬似信号送出プログラムが格納されている。マイクロコンピュータ２に接続されているリンク確立試験スイッチ５は、このＡＤＳＬ擬似信号送出プログラムを立ち上げるスイッチで、リンク確立試験スイッチ５が押されると、周波数が３８.８１２５ＫＨｚの上記擬似信号がマイクロコンピュータ２から出力される。マイクロコンピュータ２から出力された擬似信号は、パルストランス６とリレー（リンク確立試験スイッチ５がオンされている間、オンとなる。）７とモジュラーコネクタ８とを介し、図示していない電話回線に送出される。尚、この際、マイクロコンピュータ２から出力された擬似信号は、パルストランス６とリレー７とを介して交流信号増幅器（ＡＣ−ＡＭＰ）９にも入力され、増幅されたあと、フィルタ回路４ａ、周波数検出回路３ａを通って入力端子Ｔ１に入力されるため、マイクロコンピュータ２は、上記擬似信号が電話回線に送出されたことを確認することができる。
【００１０】
ＡＤＳＬ信号チェッカ１のパネル面には、図２に示すような複数のＬＥＤ表示器１０，１１，１２，１３が配設されている。これらのＬＥＤ表示器１０，１１，１２，１３は、マイクロコンピュータ２の出力側に接続されており、図１では「状態表示ＬＥＤ」として示されている。尚、ＬＥＤ表示器１０，１１，１２，１３は、ＡＤＳＬ信号の検出に関する表示器であり、後述するように、ＡＤＳＬ信号の検出に関係する以外の状態表示ＬＥＤもＡＤＳＬ信号チェッカ１のパネル面に配設されている。
【００１１】
ＬＥＤ表示器（ＡｎｎｅｘＡ）１０は、マイクロコンピュータ２が、周波数１７２.５ＫＨｚのＡＤＳＬ信号のみを検出した場合、もしくは周波数１７２.５ＫＨｚのＡＤＳＬ信号と周波数２７６．０ＫＨｚのＡＤＳＬ信号の両方を検出した場合に点灯表示され、ＬＥＤ表示器（ＡｎｎｅｘＣ）１１は、マイクロコンピュータ２が、周波数１７２.５ＫＨｚを含まないＡＤＳＬ信号、例えば周波数２７６．０ＫＨｚのＡＤＳＬ信号を検出した場合に点灯表示される。尚、ＡｎｎｅｘＡ及びＡｎｎｅｘＣは、回線各社が使用しているモデムの応答信号の種別を示している。
また、ＬＥＤ表示器１２は、マイクロコンピュータ２が、前述の周波数３８.８１２５ＫＨｚの上り信号を検出した場合に点灯表示され、ＬＥＤ表示器１３は、マイクロコンピュータ２が、下り信号を検出した場合に点灯表示される。
【００１２】
次に、ＡＤＳＬ信号検出動作について、図３に示したフローチャートを参照しながら説明する。尚、このフローチャートは、加入者端末が工事中であったり、電源がオフのために加入者端末が働かない場合にＡＤＳＬ信号を検出する動作を示している。
ステップＳ１に示すように、前述のリンク確立試験スイッチ５を所定時間、例えば１秒間、試験者が押すと、ステップＳ２に示すように、マイクロコンピュータ２から周波数が３８.８１２５ＫＨｚのＡＤＳＬ擬似信号が１秒間、出力される。このＡＤＳＬ擬似信号は、パルストランス６とリレー７とモジュラーコネクタ８とを介し、図示していない電話回線に送出されるとともに、交流信号増幅器（ＡＣ−ＡＭＰ）９にも入力され、増幅されたあと、フィルタ回路４ａ、周波数検出回路３ａを通ってマイクロコンピュータ２の入力端子Ｔ１に入力される。そのため、マイクロコンピュータ２は、上記擬似信号が電話回線に送出されたことを確認することができるとともに、前述のＬＥＤ表示器１２を点灯させるため、試験者はＡＤＳＬ擬似信号が電話回線に送出されたことを認識することができる。尚、このＡＤＳＬ擬似信号は、試験者がリンク確立試験スイッチ５をオフすると、リレー７がオフされるため、ステップＳ３に示すように送出が切断される。
【００１３】
上記のようにＡＤＳＬ擬似信号が電話回線に送出されると、電話局のモデムが起動されるため、電話局から電話回線を介してＡＤＳＬ信号が伝送される。
ステップＳ４において、マイクロコンピュータ２が、周波数１７２.５ＫＨｚのＡＤＳＬ信号のみ、もしくは周波数１７２.５ＫＨｚのＡＤＳＬ信号と周波数２７６．０ＫＨｚのＡＤＳＬ信号の両方を検出している（Ｙｅｓ）と判断した場合、即ち、周波数１７２.５ＫＨｚを含むＡＤＳＬ信号を検出していると判断した場合、マイクロコンピュータ２はステップＳ５に示すようにＬＥＤ表示器（ＡｎｎｅｘＡ）１０を点灯させる。これにより、試験者は周波数１７２.５ＫＨｚのＡＤＳＬ信号が検出されていることを認識することができる。
【００１４】
上記ステップＳ４において、マイクロコンピュータ２が周波数１７２.５ＫＨｚを含むＡＤＳＬ信号を検出していない（Ｎｏ）と判断した場合、ステップＳ６において、マイクロコンピュータ２は、周波数２７６．０ＫＨｚのＡＤＳＬ信号を検出しているか否かを判断する。ステップＳ６において、マイクロコンピュータ２が周波数２７６．０ＫＨｚのＡＤＳＬ信号を検出している（Ｙｅｓ）と判断した場合、マイクロコンピュータ２はステップＳ７に示すようにＬＥＤ表示器（ＡｎｎｅｘＣ）１１を点灯させる。これにより試験者は周波数２７６．０ＫＨｚのＡＤＳＬ信号を検出していることを認識することができる。
【００１５】
ステップＳ６において、マイクロコンピュータ２が、周波数２７６．０ＫＨｚのＡＤＳＬ信号を検出していない（Ｎｏ）と判断した場合、マイクロコンピュータ２は、ステップＳ１からステップＳ８までの行程を３回試行した（Ｙｅｓ）あと、ステップＳ９に示すようにＬＥＤ表示器１０，１１，１２，１３のどれも点灯させない。これにより、試験者は、ＡＤＳＬ信号が検出されていないことを認識することができる。
【００１６】
以上のように、加入者端末が工事中であったり、電源がオフのために加入者端末が働かない場合でも、電話回線に重畳されている回線各社のＡＤＳＬ信号を検出し、それを表示することができるため、試験者は電話回線に重畳されているＡＤＳＬ信号の種類を認識することができる。
【００１７】
尚、ＡＤＳＬ信号チェッカ１は、上記のように電話回線に重畳されているＡＤＳＬ信号を検出するための機能のほかに、次に説明する機能を有している。
（１）Ｌ１，Ｌ２の２本の芯線から成る電話回線の極性を表示することができる。
この場合、マイクロコンピュータ２は、モジュラーコネクタ８から直流増幅器（ＤＣ−ＡＭＰ）２０を介して入力されたＬ１，Ｌ２間の電圧を測定し、線間電圧が３Ｖ以上あって、Ｌ１がＬ２より電位が高い場合、図２に示しているＬＥＤ表示器（Ａ＋）２１を点灯させ、Ｌ１がＬ２より電位が低い場合、ＬＥＤ表示器（Ｂ＋）２２を点灯させる。これにより、試験者はＬ１，Ｌ２の極性を認識することができる。
（２）アナログ回線の状態を表示することができる。
この場合、マイクロコンピュータ２は、モジュラーコネクタ８から直流増幅器（ＤＣ−ＡＭＰ）２０を介して入力されたＬ１，Ｌ２間の電圧を測定し、線間電圧が３Ｖ〜４１Ｖの場合、図２に示しているＬＥＤ表示器（使用中）２３を点灯させ、線間電圧が４１Ｖ〜５５Ｖの場合、ＬＥＤ表示器（空き）２４を点灯させる。これにより、試験者はアナログ回線の状態を認識することができる。
（３）ＩＳＤＮ回線の状態を表示することができる。
この場合、マイクロコンピュータ２は、モジュラーコネクタ８から直流増幅器（ＤＣ−ＡＭＰ）２０を介して入力されたＬ１，Ｌ２間の電圧を測定し、線間電圧が５５Ｖを超え、且つキャリアが無い場合、図２に示しているＬＥＤ表示器（空き）２５を点灯させる。また、キャリアが有って、且つデータ変化が無い場合、ＬＥＤ表示器２６を点灯させ、キャリアが有って、且つデータ変化が有る場合、ＬＥＤ表示器２６を点滅させる。尚、図１に示すように、ＩＳＤＮの信号を検出するために、波形整形回路３１や、タイミングパルスを発生させるカウンタ３２などがマイクロコンピュータ２に接続されているが、そのＩＳＤＮの信号検出機能の説明は省略する。
【図面の簡単な説明】
【００１８】
【図１】ＡＤＳＬ信号チェッカの電気回路ブロック図である。
【図２】ＡＤＳＬ信号チェッカの操作表示パネル図である。
【図３】ＡＤＳＬ信号を検出する場合の動作フローチャートである。
【符号の説明】
【００１９】
１                  ＡＤＳＬ信号チェッカ
２                  マイクロコンピュータ
３ａ〜３ｃ          周波数検出回路
４ａ〜４ｃ          フィルタ回路
５                  リンク確立試験スイッチ
６                  パルストランス
７                  リレー
８                  モジュラーコネクタ
９                  交流信号増幅器
１０〜１３            ＬＥＤ表示器
【図１】
2006319816.tif 000003
【図２】
2006319816.tif 000004
【図３】
2006319816.tif 000005